(57)【特許請求の範囲】
【請求項１】
ボディと、該ボディに取り付けた油圧ポンプと、前記ボディに取り付けた油圧タンクとを備えたポンプキットにおいて、
前記油圧ポンプ及び前記油圧タンクが互いに対向して前記ボディの外壁面に取り付けられ、
前記ボディの上下の外壁面に油圧機器を取り付けることができるガスケット取付面を設け、
前記ガスケット取付面は、前記油圧ポンプ及び前記油圧タンクの取付方向に対して前記油圧機器を同方向または正反対の向きに取り付けることができることを特徴とするポンプキット。
【発明の詳細な説明】
【技術分野】
【０００１】
本発明は、ボディと、該ボディの両側壁面に取り付けた油圧ポンプと、油圧タンクとを設けて一体にしたポンプキットに関する。
【背景技術】
【０００２】
従来、小型アクチュエータの油圧駆動源として、ポンプ、タンク、制御弁で構成される油圧パッケージ、さらに電動機を取り付けた油圧パッケージされた油圧発生装置が種々提案されている。
例えば、図１１に示すようにタンク一体型ピストンポンプ４０がベースプレート４１に取り付けられ、該タンク一体型ピストンポンプ４０の接続口（図示しない）の両端に配管４２乃至４５を接続する。接続口に螺着した配管４２には、ベースプレート４１に配設された潤滑ポンプ４６が接続されている。さらに、潤滑ポンプ４６は配管４３を介してベースプレート４１に配設されたフィルター４７に接続され、該フィルター４７が配管４４を介してベースプレート４２に設けられたファンクーラー４８の入口側に連通している。ファンクーラー４８の出口側が配管４５により接続口に取り付けられた開閉弁４９に接続されている技術が本出願人によって提案されている（例えば、特許文献１参照。）。
【先行技術文献】
【特許文献】
【０００３】
【特許文献１】特開２００７−１０７４４５号公報
【発明の概要】
【発明が解決しようとする課題】
【０００４】
本発明は前記本出願人に係る油圧発生装置に関連してなされたもので、ボディと、該ボディの外壁面に取り付けた油圧ポンプと、前記油圧ポンプに対向して前記ボディの外壁面に取り付けた油圧タンクを設けると共に、油圧ポンプ及び油圧タンクを取り付けたボディの外壁面以外にガスケット取付面を設けて複数の油圧機器を取り付け可能にしたポンプキットを提供することを目的とする。
【課題を解決するための手段】
【０００５】
前記の課題を解決するため請求項１記載の発明は、
ボディと、該ボディに取り付けた油圧ポンプと、前記ボディに取り付けた油圧タンクとを備えるポンプキットにおいて、
前記油圧ポンプ及び前記油圧タンクが互いに対向して前記ボディの外壁面に取り付けられ、
前記ボディの上下の外壁面に油圧機器を取り付けることができるガスケット取付面を設け、
前記ガスケット取付面は、前記油圧ポンプ及び前記油圧タンクの取付方向に対して前記油圧機器を同方向または正反対の向きに取り付けることができることを特徴とする。
本発明によれば、油圧タンク及び油圧ポンプを取り付けたボディの他の外壁面以外に油圧機器を取り付けるガスケット取付面を設けることにより油圧機器を集合して取り付けが可能でポンプキットの小型化を図ることができ、付加価値の高いポプキットにすることができる。

【０００６】
本発明よれば前記ガスケット取付面は、前記油圧ポンプ及び前記油圧タンクの取付方向に対して前記油圧機器を同方向または正反対の向きに取り付けることができるので、油圧機器の向きを適宜調整することができるので好適である。
【発明の効果】
【０００７】
本発明は油圧機器を集合して取り付けることが可能で小型化を図ったポンプキットにすることができる。
【図面の簡単な説明】
【０００８】
【図１】本発明の第一の実施の形態に係るポンプキットの概略構造を示す正面図である。
【図２】図１の右側面図である。
【図３】図２の右側面図である。
【図４】図３のX矢視の外形図である。
【図５】図３のＹ矢視の外形図である。
【図６】本発明の第二の実施の形態に係るポンプキットの概略構造を示す外形図である。
【図７】本発明の第三の実施の形態に係るポンプキットの概略構造を示す外形図である。
【図８】本発明の第二の実施の形態に係るポンプキットの変形例を示す外形図である。
【図９】本発明の第二の実施の形態に係るポンプキットの変形例を示す外形図である。
【図１０】本発明の第二の実施の形態に係るポンプキットの変形例を示す外形図である。
【図１１】従来の油圧発生装置の外形図である。
【発明を実施するための形態】
【０００９】
以下、本発明のポンプキットにつき好適の実施の形態を挙げ、添付図面を参照して詳細に説明する。図１乃至図５は本発明の第一の実施の形態に係るポンプキット１０の概略構造を示す外形図を示す。
ポンプキット１０には、矩形状のボディ１１と、該ボディ１１の外壁、例えば外壁面１１ａ，１１ｂにそれぞれ取り付けられた油圧ポンプ１２、油圧タンク１３とを備える。
油圧ポンプ１２及び油圧ポンプ１３は同一軸心状に設けられている。
ボディ１１は、油圧ポンプ１２及び油圧タンク１３が取り付けられる他の外該壁面１１ｃ、１１ｄにチェック弁またはパイロットチェック弁１４が内蔵されている。
【００１０】
このため、ボディ１１の外壁面に取り付けた油圧ポンプ１２及び油圧タンク１３以外の他の油圧機器を取り付けることが可能な外壁面は、例えば外壁面１１ｅ，１１fになる。すなわち、図１乃至図５において、油圧ポンプ１２及び油圧タンク１３が取り付けられたボディ１１の上下の外壁面１１ｅ，１１fに油圧ポンプ１２及び油圧タンク１３以外の油圧機器を取り付けることができる。
さらに、ボディ１１の上下の外壁面１１ｅ，１１ｆには、前記油圧ポンプ及び前記油圧タンクの取付方向に対して取り付ける油圧機器を同方向または正反対に取り付けるガスケット取付面を設けることにより、油圧機器の向きを油圧ポンプ及び油圧タンクと同じまたは反対に取り付けることができるので、ポンプキット１０をコンパクトにすることができる。
【００１１】
これにより、ポンプキット１０はボディ１１に油圧ポンプ１２及び油圧タンク１３の他に他の油圧機器を取り付けることができ、付加価値の高いポンプキットにすることができる。
【００１２】
図６は、本発明の第二の実施の形態に係るポンプキット２０の概略構造を示す外形図である。このポンプキット２０では、ボディ１１の外壁面１１eに設けたガスケット取付面１５に他の油圧機器、例えばリリーフバルブ２１が油圧タンク１３側に指向するように取り付けている。
【００１３】
図７は、本発明の第三の実施の形態に係るポンプキット３０の概略構造を示す外形図である。このポンプキット３０では、ボディ１１の外壁面１１eに設けたガスケット取付面１５に他の油圧機器、例えばリリーフバルブ２１が油圧ポンプ１２側に指向するように取り付けている。
【００１４】
図８は、本発明の第２の実施の形態に係るポンプキット２０の変形例を示すポンプキット２０Aの外形図を示す。このポンプキット２０Aでは、ボディ１１の外壁面１１ｆに設けたガスケット取付面１６のねじ穴を利用して該ガスケット取付面１６に取付足２２を設け、ポンプキット２０Ａを他の部材に容易に取り付けることができるようにしたものである。ガスケット取付面１６の配管ポートは取付足２２により閉止し、ガスケット取付面１５と連通しリリーフバルブ２１の側面に設けられた配管ポート２１aから外部へ接続する。
【００１５】
図９は、ポンプキット２０Aの他の実施の形態を示すポンプキット２０Ｂの外形図を示す。このポンプキット２０Ｂでは、ボディ１１の外壁面１１ｅのガスケット取付面１５にシャットオフバルブ２３を取り付け、該シャットオフバルブ２３の上部にリリーフバルブ２１を設け、リリーフバルブ２１及びシャットオフバルブ２３を積層した他の実施例である。
【００１６】
図１０は、ポンプキット２０Ａの他の実施の形態を示すポンプキット２０Ｃの外形図を示す。このポンプキット２０Ｃでは、ボディ１１の外壁面１１ｆのガスケット取付面１６にシャットオフバルブ２３を取り付け、該シャットオフバルブ２３の下部に取付足２２を設け、ポンプキット２０Ｃを他の部材に取り付けることができる。
本発明の実施の形態を示すポンプキット１０、２０、２０Ａ、２０Ｂ、２０Ｃ、３０は略水平状態に設置した状態を示しているが、これらのポンプキット１０、２０、２０Ａ、２０Ｂ、２０Ｃ、３０は、油圧タンク１３を上にして上下方向に設置することも可能である。
【符号の説明】
【００１７】
１０、２０、２０Ａ，２０Ｂ、２０Ｃ、３０  ポンプキット
１１  ボディ                      １２  油圧ポンプ
１３  油圧タンク                  １４  チェック弁またはパイロットチェック弁
１５、１６  ガスケット取付面      ２１  リリーフバルブ
２２  取付足              
【図１】
0005531498.tif 000002
【図２】
0005531498.tif 000003
【図３】
0005531498.tif 000004
【図４】
0005531498.tif 000005
【図５】
0005531498.tif 000006
【図６】
0005531498.tif 000007
【図７】
0005531498.tif 000008
【図８】
0005531498.tif 000009
【図９】
0005531498.tif 000010
【図１０】
0005531498.tif 000011
【図１１】
0005531498.tif 000012